(57)【要約】【課題】  壁面に背版の平板で固定保持する両持ち式トイレットペーパーホルダーと、上部中央の区々の断面形状をした支柱で１点支持する片持ち式トイレットペーパーホルダーに汎用的に適用可能で着脱容易なトイレットペーパーホルダーカバーを提供する。【解決手段】  上蓋カバー２と垂下げた支持部材３と予備ロール収納部材４からなり、支持部材の中央下端から上部中央にかけて左右対象に挿通溝を開口させたことを特徴とするトイレットペーパーホルダーカバー。【選択図】      図１
0003171348.tif 000002
【実用新案登録請求の範囲】
【請求項１】
トイレ壁面（２８）に取り付ける背版（２４）と、背版（２４）の左右端部（２４ａ）から垂直に立設して対向する側面板（２３、２３）と、側面板（２３）の背版（２４）際に軸支されたトイレットペーパー切断用の上蓋（２５）と、対向する側面板（２３、２３）に、トイレットペーパー（２０）の巻回されたロール（２１）を回転可能に軸支しうるロール軸支材（２２、２２）を備え、上蓋（２５）の両端を左右の側面板（２３、２３）で挟持し、側面板（２３、２３）を背版（２４）でトイレ壁面（２８）に支持固定する両持ち式トイレットペーパーホルダー（２７ａ）に、あるいはトイレットペーパー（２０）の巻回されたロール（２１）を回転可能に軸支するアーム状のロール軸支材（２２）と、上蓋（２５）とを保持してトイレ壁面（２８）に支持固定する支柱（２６）とからなる片持ち式トイレットペーパーホルダー（２７ｂ）に、装着しうるトイレットホルダーカバー（１）からなり、このトイレットペーパーホルダーカバー（１）は予備のトイレットパーパーロール（２１）を収納する予備ロール収納部材（６）の吊り下げ部材（５）を支持する支持部材（３）を有し、さらに予備ロール収納材（６）を有するトイレットペパーホルダーカバー（１）は織物もしくは編物のファブリック又は不織布からなり、上蓋カバー（２）の後端の端辺（７）はプラスチック樹脂製の平板状の支持部材（３）の上端部（８）に係止され、上端部（８）から吊り下る支持部材（３）の下端側に設けた左右の吊り下げ用スリット（４、４）に、予備ロール収納部材（６）を吊り下げる左右の織物もしくは編物のファブリック又は不織布からなる吊り下げ部材（５、５）を着脱自在に係止したトイレットペーパーホルダーカバー（１）であって、支持部材（３）の横幅（１６）は両持ち式トイレットペーパーホルダー（２７ａ）の対向する左右の側面板（２３、２３）の離間距離（１５）よりも短く、支持部材（３）の上端部（８）は離間距離（１５）よりも左右に長く突出した載置突部（１０）を備え、かつ、吊り下げられた支持部材（３）の下端中央から上部中央の開口突出部（１１）まで支柱（２６）の挿通溝（９）が開口していることを特徴とする、トイレットペーパーホルダーカバー（１）。
【請求項２】
トイレ壁面（２８）に取り付ける背版（２４）と、背版（２４）の左右端部（２４ａ）から垂直に立設して対向する側面板（２３、２３）と、側面板（２３）の背版（２４）際に軸支されたトイレットペーパー切断用の上蓋（２５）と、対向する側面板（２３、２３）に、トイレットペーパー（２０）の巻回されたロール（２１）を回転可能に軸支しうるロール軸支材（２２、２２）を備え、上蓋（２５）の両端を左右の側面板（２３、２３）で挟持し、側面板（２３、２３）を背版（２４）でトイレ壁面（２８）に支持固定する両持ち式トイレットペーパーホルダー（２７ａ）に、あるいはトイレットペーパー（２０）の巻回されたロール（２１）を回転可能に軸支するアーム状のロール軸支材（２２）と、上蓋（２５）とを保持してトイレ壁面（２８）に支持固定する支柱（２６）とからなる片持ち式トイレットペーパーホルダー（２７ｂ）に、装着しうるトイレットホルダーカバー（１）からなり、このトイレットペパーホルダーカバー（１）は予備トイレットペーパーロール（２１）を収納する予備ロール収納材（６）の吊り下げ部材（５）を支持する支持部材（３）を有し、さらに予備ロール収納材（６）を有するトイレットペパーホルダーカバー（１）は織物もしくは編物のファブリック又は不織布からなり、上蓋カバー（２）の後端の端辺（７）はプラスチック樹脂製の平板状の支持部材（３）の上端部（８）に縫着により係止され、上端部（８）から吊り下る支持部材（３）の下端側に設けた左右の吊り下げ用スリット（４、４）に、予備ロール収納部材（６）の上方に設けた左右の織物もしくは編物のファブリック又は不織布からなる左右の吊り下げ部材（５、５）を着脱自在に係止して予備ロール収納部材（６）を吊り下げたトイレットペーパーホルダーカバー（１）であって、支持部材（３）の横幅（１６）は両持ち式トイレットペーパーホルダー（２７ａ）の対向する左右の側面板（２３、２３）の離間距離（１５）よりも短く、支持部材（３）の上端部（８）は離間距離（１５）よりも左右に長く突出した載置突部（１０）を備え、かつ、吊り下げられた支持部材（３）は左右対称で、挿通溝（９）は縦長矩形でかつ該挿通溝（９）の上辺内に片持ち式トイレットホルダー（２７ｂ）を支持する支柱（２６）を挿通する円弧状の開口突出部（１１）を有し、挿通溝（９）の左辺および右辺の上部にそれぞれ横に拡大する開口張出部（１２、１２）を備えていることを特徴とするトイレットペーパーホルダーカバー（１）。
【請求項３】
支持部材（３）の下端側の左右の吊り下げ用スリット（４、４）の下部にはその下端の左右端部から中央部の挿通溝（９）へそれぞれ内向きに水平に延びる左右のフック（１３、１３）を有することを特徴とする請求項１又は請求項２に記載のトイレットペーパーホルダーカバー（１）。
【考案の詳細な説明】
【技術分野】
【０００１】
この考案は、トイレットペーパーの巻回されたロールのペーパーを引き出し可能に軸支するためのトイレ壁面に支持固定されたトイレットペーパーホルダー（いわゆる紙巻器）に装着して適用すると共に、該トイレットペーパーホルダーのトイレットパーパー切断用上蓋の上面を被覆して装飾し、かつ、下方に予備のトイレットペーパーを保持するストッカーを備えたトイレットペーパーホルダーカバーに関する。とりわけ、一般的な平板からなる背版に支持された左右の側壁のトイレ壁面際内のロール軸支材でトイレットペーパーロールを回転可能に保持するトイレットペーパーホルダーのみならず、トイレットペーパーホルダーの中央上部の支柱でトイレ壁面に一点で支持固定され片持ちの横向きＵ字状アーム等のロール軸支材でトイレットペーパーロールを回転可能に保持する構造からなる片持ち式トイレットペーパーホルダーにも適用可能な、汎用性に優れたトイレットペーパーホルダーカバーに関する。
【背景技術】
【０００２】
トイレの壁面に取り付けられているトイレットペーパーホルダーは、巻回されたトイレットペーパーロールからトイレットペーパーを引き出せるように、トイレットペーパーロールを回転可能に保持するものである。しかし、一般の家庭では、さらにこのホルダーに予備のトイレットペーパーのストッカーを兼ねたトイレットペーパーホルダーカバーを装着して使用することが多い。
【０００３】
ところで、一般的な構造のトイレットペーパーホルダーは、背版２４とその左右の側面板からなるコ字状のトイレットホルダーからなり、このトイレットペーパーホルダーの平板からなる背版をねじ等でトイレ壁面に固定支持し、背版の左右端部から前方へ縦状に突出する側面板を設け、この左右の側面板内に設けた左右のロール軸支材を水平とし、この左右の水平なロール軸支材によって、トイレットペーパーロールを両持ちで回転可能に保持するものであって、トイレットペーパーの切断刃を先端側の刃先部に有する上蓋が左右の側面板の上端部にヒンジを介して取り付けられているものである。
【０００４】
そこで、こうした一般的なトイレットペーパーホルダーに、予備のトイレットパーパーロールのストッカーを兼ねたトイレットペーパーホルダーのカバーを装着するために、上蓋の上面を布地で覆うとともに、左右の側面板に両持ちで保持されたトイレットペーパーロールの下方に、該ロール幅の細長い布地を輪状に合わせて筒状もしくは水滴状の空洞に形成して予備ロール収納部材として、吊り下げた構造が知られている。
【０００５】
こうしたトイレットペーパーホルダーのカバーは、上蓋を覆う布地がトイレットペーパーロールの切断用の上蓋に固定されて予備のトイレットペーパーロールの荷重を支えており、平板からなる背版の前面と、トイレットペーパーロールの上蓋および両持ちで保持されたトイレットペーパーロールとの間で形成されている隙間に、上方から布地もしくはプラスチック樹脂板などからなる支持部材を挿入し、この挿入した支持部材によりトイレットペーパーロールの上蓋を覆う布地と下方の予備ロールを収納する布地を連繋させ、下方の予備ロール収納部材の布地を吊り下げ可能な形状としている。そして、トイレットペーパーホルダーの上蓋を覆う布地と予備ロールの収納部材とが同じ布地から縫製されて支持部材により一体的に形成された構造からなるカバーや、トイレットペーパーロールの上蓋のカバーと予備ロール収納部がプラスチック樹脂板の支持部材を介して取外し可能に組合わされている構成からなっているものもある。
【０００６】
もっとも、トイレットペーパーロールの上蓋にカバーを固定する構造だと、下方の予備ロールを収納した予備ロール収納部材の荷重がトイレットペーパー切断用の上蓋に大きくかかることとなるので、トイレットペーパーロールにトイレットペーパー切断用の上蓋の刃先部がペーパーに接触して回転が阻害されることとなり、トイレットペーパーが引き出しにくくなったり、ちぎれや、破れを誘発するなど、使い勝手が悪いものとなってしまうことがあった。
【０００７】
そこで、トイレットペーパー切断用の上蓋にカバーを固定するのではなく、カバーの支持部材の左右の上端部を、上蓋と背版前面の上端との間の隙間の長さより、長く左右に突出させて突出部に形成し、該支持部材の左右の上端部からなる突出部を側壁の上面部に載置して載置突部として落下しないように、予備ロール収納部材を吊り下げる構成としたものもある（例えば、特許文献１、２参照。）。
【０００８】
ところが、近時、スタイリッシュな外観を重視したトイレットペーパーホルダーが家庭向けに市販されはじめている。これらの代表的な構造のものは、従来の背版の平板と両側壁を備えたホルダーの左右側壁に設けた各軸支部材で両持ちに保持する方式に代えて、中央上部の支柱で壁面に１点支持した構造であって、側壁の代わりに、支柱から伸びた細い横向きＵ字状に屈曲させた棒状のアーム等からなるロール軸支材で片持ち式にトイレットペーパーロールを保持するホルダー構造を有している。そして、トイレ壁面に１点支持する支柱は、その断面形状が横長楕円、円、矩形と種々な形状のものが流通している（例えば、特許文献３〜５参照。）。
【０００９】
しかし、こうした上部中央に支柱を有するトイレットペーパーホルダーには、従来市販されていた形状のトイレットペーパーホルダーカバーでは、支持部材が中央の支柱と干渉することとなるため、そのままでは適用できなかった。
【先行技術文献】
【特許文献】
【００１０】
【特許文献１】実開平７−２０９８４号公報
【特許文献２】実公昭５７−３６０７６号公報
【特許文献３】意匠登録第１２３１３０９号公報
【特許文献４】意匠登録第１２６２４５８号公報
【特許文献５】意匠登録第１２５９５２４号公報
【考案の概要】
【考案が解決しようとする課題】
【００１１】
従来のトイレットペーパー切断用の上蓋に布製の上蓋カバーを固定し、トイレットペーパー切断用の上蓋と平板からなる背版の隙間に支持部材を挿通して下方の予備ロールの収納部材を吊り下げる構造のトイレットペーパーホルダーカバーは、近時市販されているホルダーの上部の中央支柱でトイレ壁面に１点て固定支持するトイレットペーパーホルダーには、適用ができなかった。
【００１２】
また、これらの従来の上部中央の支柱には断面形状に種々のものがあり、楕円から矩形まで、形状も太さもメーカーによって区々であるから、これらの合わせた予備ロールを収納するカバー部材を安定して支えることができる構造のものが要請されている。もっとも、区々のホルダーの支柱の断面形状に合わせた専用形状のカバーを用意するのでは、多数のバリエーション毎にカバーをそれぞれに用意しなければならず現実には提供しきれないものとなる。そこで、上部中央の支柱の区々の断面形状に柔軟に対応できる構造である一方で、従来のホルダーにも装着可能な構造であることも要請されている。
【００１３】
さらに、衛生面に配慮してこまめに交換および洗濯ができることも要請されるので、装着と脱着の容易さも求められており、余計な力を要することなく素早く取り付け取外しができる簡易作業性、片手でも取り付け取外しができるような取り回しの容易性、洗濯乾燥などに対応できる耐久性ある構造であることなども要請されている。
【００１４】
たとえば、従来、背版とトイレットペーパー切断用の上蓋の隙間に挿し入れる支持部材と、これらの下方の予備ロール収納部材との接続手段として、支持部材の下方に設けられた左右のスリット窓に予備ロールの収納部材を吊るす紐を通しスナップボタンで係止するといったものがある。しかし、左右二カ所の細長いスリット窓に紐を通し、紐の先端のスナップボタンと他端のスナップボタンを嵌め合い係止するには手間がかかるうえに、スナップボタンは嵌め合いが硬いときは装着に力を要したり、片手では作業がしづらいものとなる。また洗濯時にもスナップボタンがひっかかりやすい欠点があった。
【００１５】
また、特許文献１には、支持部材の下端に、左右に突出して支えた連結部として、外向きのフック構造を備えた支持部材が開示されている。この外向きの左右のフックに、ハンガーのようにして、予備ロール収納部材の上部に予め輪になるように逢着した紐を引っかけるようにして吊るして使用するものである。たしかに、スナップボタンよりも簡易に支持部材に予備ロール収納部材を装着および脱着できる。しかしながら、外側に開口したフックだと、左右に引き延ばすようにしながら、引っかける必要があるので、片手で作業するのは困難であった。
【００１６】
そこで、この考案が解決しようとする課題は、従来からあるトイレ壁面に平板からなる背版で固定保持するトイレットペーパーホルダーと、上部中央の区々の断面形状をした支柱で１点支持するトイレットペーパーホルダーのいずれにも汎用的に適用可能であって、かつ装着および脱着作業の容易なトイレットペーパーホルダーカバーを提供することである。
【課題を解決するための手段】
【００１７】
上記の課題を解決するための本考案の手段は、請求項１の考案では、対向する側面板（２３、２３）に、トイレットペーパー（２０）の巻回されたロール（２１）を回転可能に軸支しうるロール軸支材（２２、２２）を備え、上蓋（２５）の両端を左右の側面板（２３、２３）で挟持し、側面板（２３、２３）を背版（２４）でトイレ壁面（２８）に支持固定する両持ち式トイレットペーパーホルダー（２７ａ）、あるいは、トイレットペーパー（２０）の巻回されたロール（２１）を回転可能に軸支するアーム状のロール軸支材（２２）と、上蓋（２５）とを保持してトイレ壁面（２８）に支持固定する支柱（２６）とからなる片持ち式トイレットペーパーホルダー（２７ｂ）の双方を装着しうるトイレットペパーホルダーカバー（１）からなっている。このトイレットペパーホルダーカバー（１）は予備トイレットペーパーロール（２１）を収納する予備ロール収納材（６）の吊り下げ部材（５）を支持する支持部材（３）を有する。さらに予備ロール収納材（６）を有するトイレットペパーホルダーカバー（１）は織物もしくは編物のファブリック又は不織布からなっている。さらに上蓋カバー（２）の後端の端辺（７）はプラスチック樹脂製の平板状の支持部材（３）の上端部（８）に係止され、上端部（８）から吊り下る支持部材（３）の下端側に設けた左右の吊り下げ用スリット（４、４）に、予備ロール収納部材（６）を吊り下げる左右の織物もしくは編物のファブリック又は不織布からなる吊り下げ部材（５、５）を着脱自在に係止したトイレットペーパーホルダーカバー（１）であって、支持部材（３）の横幅（１６）は両持ち式トイレットペーパーホルダー（２７ａ）の対向する左右の側面板（２３、２３）の離間距離（１５）よりも短く、支持部材（３）の上端部（８）は離間距離（１５）よりも左右に長く突出した載置突部（１０）を備え、かつ、吊り下げられた支持部材（３）の下端中央から上部中央の開口突出部（１１）まで、支柱（２６）の挿通溝（９）が開口していることを特徴とする、トイレットペーパーホルダーカバー（１）である。
【００１８】
請求項２の考案では、対向する側面板（２３、２３）に、トイレットペーパー（２０）の巻回されたロール（２１）を回転可能に軸支しうるロール軸支材（２２、２２）を備え、上蓋（２５）の両端を左右の側面板（２３、２３）で挟持し、側面板（２３、２３）を背版（２４）でトイレ壁面（２８）に支持固定する両持ち式トイレットペーパーホルダー（２７ａ）、および、トイレットペーパー（２０）の巻回されたロール（２１）を回転可能に軸支するアーム状のロール軸支材（２２）と、上蓋（２５）とを保持してトイレ壁面（２８）に支持固定する支柱（２６）とからなる片持ち式トイレットペーパーホルダー（２７ｂ）の双方ともに装着しうるトイレットホルダーカバー（１）からなっている。このトイレットペパーホルダーカバー（１）は予備トイレットペーパーロール（２１）を収納する予備ロール収納材（６）の吊り下げ部材（５）を支持する支持部材（３）を有する。さらに予備ロール収納材（６）を有するトイレットペパーホルダーカバー（１）は織物もしくは編物のファブリック又は不織布からなっている。さらに上蓋カバー（２）の後端の端辺（７）はプラスチック樹脂製の平板状の支持部材（３）の上端部（８）に縫着により係止され、上端部（８）から吊り下る支持部材（３）の下端側に設けた左右の吊り下げ用スリット（４、４）に、予備ロール収納部材（６）の上方に設けた左右の織物もしくは編物のファブリック又は不織布からなる左右の吊り下げ部材（５、５）を着脱自在に係止して予備ロール収納部材（６）を吊り下げたトイレットペーパーホルダーカバー（１）であって、支持部材（３）の横幅（１６）は両持ち式トイレットペーパーホルダー（２７ａ）の対向する左右の側面板（２３、２３）の離間距離（１５）よりも短く、支持部材（３）の上端部（８）は離間距離（１５）よりも左右に長く突出した載置突部（１０）を備え、かつ、吊り下げられた支持部材（３）は左右対称で、挿通溝（９）は縦長矩形でかつ該挿通溝（９）の上辺内に片持ち式トイレットホルダー（２７ｂ）を支持する支柱（２６）を挿通する円弧状の開口突出部（１１）を上辺に有し、挿通溝（９）の左辺および右辺の上部にそれぞれ横に拡大する開口張出部（１２、１２）を備えていることを特徴とするトイレットペーパーホルダーカバー（１）である。
【００１９】
請求項３の考案では、上記の支持部材（３）の下端部に形成の左右の吊り下げ用スリット（４、４）の下部には、それらの下側の左右端部から中央部の挿通溝（９）へそれぞれ内向きに水平に延びる左右のフック（１３、１３）を有することを特徴とする請求項１又は請求項２の手段のトイレットペーパーホルダーカバー（１）である。
【考案の効果】
【００２０】
本考案は、請求項１の手段によると、両持ち式の左右側面板を有する一般的なトイレットペーパーホルダーと上部中央支柱でトイレ壁面に支持固定する片持ち式のトイレットペーパーホルダーのいずれの形式にも対応可能な、上蓋を装飾的にカバーすると同時に、トイレットペーパーホルダーが軸支するトイレットペーパーの下方に、プラスチック樹脂板の支持部材を介して予備トイレットパーパーロールを収納しうる予備ロール収納部材を備えた、トイレットペーパーホルダーカバーを提供することができる。
この両持ち式の左右側面板を有するトイレットペーパーホルダーの場合には、上蓋と背版の隙間に支持部材を通し、支持部材の上部左右端の載置突部が左右側面板の上に載置されるようにして、トイレットペーパーホルダーカバーを支持することができる。
他方、片持ち式のトイレットペーパーホルダーでは、支持部材の中央下方から上方にかけて開口させた挿通溝に、トイレ壁面に固定された上部中央の支柱を通して、該挿通溝の上部が該支柱に当接係止されることで、トイレットペーパーホルダーカバーを支持することができ、両持ち式、片持ち式のいずれのタイプにも適用できるトイレットペーパーホルダーカバーである。
【００２１】
また、トイレットペーパーホルダーカバーが本考案のように支持部材を用いずに、トイレットペーパーホルダーカバーの全体が軟らかい布地でできている場合には、引っ掛かり易くスムーズに取り付けることは困難であるが、本考案のように支持部材がプラスチック樹脂の平板からなるものでは、このトイレットペーパーホルダーカバーをトイレットペーパーホルダーの上方から下方に挿し入れることは容易に実施できる。すなわち、両持ち式の場合は支持部材の平板を上蓋と背版の間の隙間に挿し入れることで容易に実施できる。
【００２２】
請求項２の手段では、支持部材の挿通溝の上部に、円弧状の突出部や、左右の張出部を有することから、片持ち式のトイレットペーパーホルダーをトイレ壁面に取り付ける際に、支柱を跨ぐようにして支持部材の上部中央を挿し入れたときに、支柱の断面形状に応じてそれぞれに安定的に支持しうる形状となっている。すなわち、支柱の断面が円形の支柱であれば挿通溝の上辺の円弧状の開口突出部の外縁が支柱と当接することで、断面が正方形の支柱であれば挿通溝の上端の左右の角部が支柱と当接することで、また、断面が横長な矩形や楕円形の支柱の場合には左右の開口張出部が支柱と当接することで、トイレットペーパーホルダーカバーを支柱に引掛けて安定的に支持することができる。さらに、両持ち式のトイレットペーパーホルダーへの適用もできるので、種々の支柱形状からなる片持ち式のトイレットペーパーホルダーへの適用と合わせて、より適用範囲の広いトイレットペーパーホルダーカバーをひとつの考案の構成で提供しうるものである。
【００２３】
請求項３の手段では、支持部材の中央の挿通溝の下方の左右の吊り下げ用スリットの下に、内向きに向かい合うようにフックを設けているので、予備ロール収納部材をフックに吊り下げる際、左のフックに一方の吊り下げ部材を引っ掛け、次に右のフックに他方の吊り下げ部材を引っ掛けるので、片手でも順次に取り付けができる。仮に外向きのフックであれば、吊り下げ作業時に片方に挿し入れたら、他方の外側のフックに吊り下げ部材を取り回す際に、左右の予備ロール収納部材を力をかけて横に引き離すといった取り付け動作が必要になるが、本考案はそうした動作を必要とせず、簡単に吊り下げ部材を内向きの左右のフックに順次係止していくことができる。
【図面の簡単な説明】
【００２４】
【図１】本考案のトイレットペーパーホルダーカバーの全体図である。
【図２】本考案の支持部材の（ａ）は正面図であり、（ｂ）〜（ｄ）は支柱が挿通溝の上部に支持される位置を示している。
【図３】両持ち式のトイレットペーパーホルダーの斜視図であり、（ａ）は上蓋を閉じた図、（ｂ）は上蓋を開けた図である。
【図４】片持ち式のトイレットペーパーホルダーの斜視図である。
【考案を実施するための形態】
【００２５】
本考案の実施の形態を添付の図面を参照しながら説明する。前提として、本考案のトイレットペーパーホルダーカバー（１）を適用するトイレットペーパーホルダー（２７）について説明する。トイレットペーパーホルダー（２７）は、例えばトイレの便座近辺の手の届く右側のトイレ壁面（２８）等に支持固定されている。トイレットペーパー（２０）のトイレットペーパーロール（２１）をトイレットペーパーホルダー（２７）のロール軸支材（２２）に１ロールの１連式で軸支するもの、２ロールの２連式ので軸支するもの等があるが、以下の説明では、最も一般的な１連式のものを例に説明する。もちろん２連式などへの本考案のトイレットペーパーホルダーカバー（１）の適用を排除するものではない。
【００２６】
先ず、トイレットペーパーホルダー（２７）が軸支して保持するトイレットペーパーロール（２１）のサイズは、シングル紙で約６０ｍ（二枚重ねで３０ｍ分）が巻かれたトイレットペーパーロール（２１）で直径１１０〜１２０ｍｍ、幅１１４ｍｍであり、トイレットペーパーロール（２１）の中心の空洞にロール軸支材（２２）を挿し入れてトイレットペーパーロール（２１）を水平に保持する。トイレットペーパーロール（２１）を回転させて適量長さのトイレットペーパー（２０）を引き出し、上蓋（２５）の先端側に設けられた刃先部（２５ａ）を押し当ててカットして使用する。トイレットペーパーホルダー（２７）は、 たとえば、洋式便器の便座に着座した状態の肘の高さを考慮して、右手側のトイレ壁面（２８）に便座の先端から１００〜１５０ｍｍ程度前方、便座面から２５０〜３００ｍｍ上方の位置を目安に設置されている。
【００２７】
トイレットペーパーホルダー（２７）には種々の構造があるが、図３に示すものは、その代表的な構成で、左右の側面板（２３、２３）に設けたロール軸支材（２２、２２）でトイレットペーパーロール（２１）を軸支する両持ち式トイレットペーパーホルダー（２７ａ）がある。トイレットペーパーホルダー（２７）の背版（２４）の矩形の平板をトイレ壁面（２８）に当接させて２本程度のねじで締めて支持固定される。背版（２４）の左右端部から垂直に側面板（２３）が対向するように突出し、側面板（２３）の前端側の中央内面にロール軸支材（２２）を有する。背版（２４）と側面板（２３）はプラスチック樹脂で一体成型されたものもあれば、左右の側面板（２３、２３）と背版（２４）の３ピースからなっているもの、金属製や陶器製のものもある。
【００２８】
たとえば、その大きさは全幅１７０ｍｍ、高さ１００ｍｍ、奥行き７５ｍｍといったサイズである。軸支の具体的構成は種々あるが、たとえば、上方向に撥ね上げ可能なバネで付勢されたレバー状のロール軸支材（２２）でもって左右から両持ちでトイレットペーパーロール（２１）を軸支するもの、トイレットペーパーロール（２１）の中心を貫通する棒状のロール軸支材（２２）でトイレットペーパーロール（２１）を片持ちで軸支するものなどがある。左右の側面板（２３、２３）の背版（２４）寄りの上端部内に凹部を設けて、上蓋（２５）の背版（２４）側を根元部として、この根元部の左右に形成した突出部を上記の凹部に嵌め込むことで、上蓋（２５）を左右の側面板（２３、２３）に開閉自在に保持される。開閉動作のスムーズにするための遊びを設けている関係で、上蓋（２５）と背版（２４）との間には２〜３ｍｍ程度の細い隙間（１４）が形成されている。なお、支持部材（３）はこの隙間（１４）に挿し入れられることとなる。上蓋（２５）の横幅は１２５ｍｍ、左右の側面板（２３、２３）同士の離間距離（１５）は１２７ｍｍである。
【００２９】
また、図４に示すように、片持ち式トイレットペーパーホルダー（２７ｂ）は、上部中央の支柱（２６）でトイレ壁面（２８）に固定支持される。支柱（２６）の外形断面は、２４ｍｍ角の正方形、直径２４ｍｍの円形、長軸３９ｍｍ×短軸２１ｍｍの楕円形、４０ｍｍ×２０ｍｍの長方形などがある。支柱（２６）の構造も種々あるが、例えば支柱（２６）の内部にトイレ壁面（２８）にねじ止め固定するための基台と、これを覆う外装カバー部材を嵌め込み固定する構造から形成されている。支柱（２６）はトイレ壁面（２８）から３５〜７０ｍｍ突出し、支柱（２６）の先端側にはロール軸支材（２２）の横向きＵ字状アーム（２２ａ）の円棒が貫通固定されており、貫通した円棒の左右に金属製の上蓋（２５）の後端部を丸く巻き付けてヒンジとすることで開閉自在に係止している。横向きＵ字状アーム（２２ａ）のロール軸支材（２２）の円棒は、支柱（２６）を貫通した先で横向きＵ字状に屈曲しており、支柱（２６）を貫通する後端側の円棒と平行でかつ前方の斜め下方の位置の前方側の円棒によりトイレットペーパーロール（２１）の中を左右に貫通してトイレットペーパーロール（２１）を軸支している。
【００３０】
本考案の実施例として、図１に、トイレットペーパーホルダーカバー（１）の実施の形態の一例を示している。これは、上蓋カバー（２）とこれに係止された支持部材（３）、吊り下げられた支持部材（３）の下方に左右の吊り下げ用スリット（４、４）として内向きの左右のフック（１３、１３）を備え、これらのフック（１３、１３）に吊り下げ部材（５、５）で予備ロール収納部材（６）を吊り下げてなるものである。
【００３１】
上蓋カバー（２）および予備ロール収納部材（６）は、織物、編物などのファブリックを用いてなるものであり、特にそれらの外表面には、模様が色彩や、ベロア調生地やタオル生地で起毛するなどして、衛生面のみならず装飾要素によって美観もあわせて提供するものとしている。これにより、便蓋カバーとの統一的な空間の形成にも資するものとしている。外表面の表地とは別に、裏面に裏地として例えば綿の生地などを組みあわせて逢着することで、適度な厚みを確保して、全体の姿を重厚なものにするのみならず、吊り下げた予備ロール収納部材（６）で予備のトイレットペーパーロール（２１）の収納と保持を図っている。
【００３２】
上蓋カバー（２）は、表地にたとえば起毛されたベロア素材を用い、裏地の白い綿素材を用い、表裏逆にして重ね合わせて袋縫いしたものを表に返して、さらに外周に沿ってミシンをかけて補強している。得られた１５０ｍｍ×１５０ｍｍの上蓋カバーの後端側の端辺（７）の上に後述する形状の支持部材（３）の上端部（８）を重ね合わせ、端辺（７）を折り返して上端部（８）を包むようにしてから、これをミシン掛けで逢着して強固に係止している。
【００３３】
そして、本考案は、図２（ａ）に例示するように、支持部材（３）の挿通溝（９）の形状的な工夫、すなわち上部への開口突出部（１１）や左右への開口張出部（１２）によって、前記の両持ち式トイレットペーパーホルダー（２７ａ）と中央の支柱（２６）を用いた種々の断面形状の支柱（２６）の片持ち式トイレットペーパーホルダー（２７ｂ）に汎用的に適用可能となっており、支持部材（３）は、例えば以下に示すような構成から形成している。
【００３４】
載置して使用される上蓋カバー（２）と係止して吊り下げて使用される支持部材（３）は、プラスチック樹脂製の１ｍｍ厚程度の１１５ｍｍ×１１５ｍｍサイズの方形をベース形状とした薄板から形成されており、そのプラスチック樹脂としては、たとえばポリエチレン樹脂、特に洗濯や乾燥じの熱を考慮して耐熱温度の高いＨＤＰＥ（高密度ポリエチレン）などが好適であるが、他のプラスチック樹脂製の平板でも同様に本考案に適用することができる。
【００３５】
支持部材（３）の形状は、図２（ａ）に示すように、下端から上部に向かって支柱（２６）を挿通するための挿通溝（９）が中央の縦方向に形成されている。挿通溝（９）の上端には、上端辺の長さより短い円弧状の開口突出部（１１）を備え、また、そのやや下に、それぞれ開口張出部（１２、１２）の切込みを左右に有している。たとえば、２５ｍｍ幅の挿通溝（９）から、上方に３ｍｍ円弧状に開口突出部（１１）を突出させ、また左右の開口張出部（１２）は、左右それぞれに８ｍｍ程度突出している。挿通溝（９）の２５ｍｍの幅であれば、先述した支柱（２６）を、２４ｍｍ角の正方形や、直径２４ｍｍの円形、短軸２１ｍｍの楕円形、短辺２０ｍｍの矩形といった外形断面の部分になるように回転させて、跨ぐようにして通して係止することができる。
【００３６】
すなわち両持ち式のトイレットペーパーホルダー（２７ａ）に適用する場合の構造について説明する。支持部材（３）の上端は、上蓋（２５）と背版（２４）との細い隙間（１４）に挿し入れる支持部材（３）のベース形状の１１５ｍｍの横幅（１６）ではなく、これを上端のみ突出させて１４０ｍｍといった横幅の載置突部（１０）を左右上端に有してなるものである。この載置突部（１０）の横幅は、左右の側面板（２３、２３）の離間距離（１５）である１２７ｍｍよりも大きいので、上蓋（２５）と背版（２４）の隙間に支持部材（３）が上方から下方へと挿入れられたとき、左右の載置突部（１０、１０）が左右の側面板（２３、２３）の上に載置されて、保持されることとなる。なお、支持部材（３）の上端部（８）は、上蓋カバー（２）の端辺（７）で包むように折り返されて逢着されているので、予備ロールも含めた荷重を支えることのできる十分な強度を備えている。
このようにして、本考案の支持部材（３）は一枚の支持部材（３）でもって、片持ち式のみならず両持ち式の従来からあるトイレットペーパーホルダーにも対応しうるのであり、極めて適用範囲の広いものである。
【００３７】
次に、片持ち式トイレットペーパーホルダー（２７ｂ）の支柱（２６）の断面形状が円形の場合には、図２の（ｂ）に示すように、支柱（２６）の上部が円弧状の上方への開口突出部（１１）と当接して、支持部材（３）およびトイレットペーパーホルダーカバー（１）を支えることとなる。
【００３８】
支柱（２６）の断面形状が横長楕円形の場合、図２の（ｃ）に示すように左右の開口張出部（１２、１２）と支柱（２６）が当接して、支持部材（３）を保持することとなる。
また、支柱（２６）の断面形状が正方形の場合、図２の（ｄ）に示すように、挿通溝（９）の左右上端の角が支柱（２６）の角と当接して、支持部材（３）を保持することとなる。
【００３９】
このように、本考案の請求項２の実施の形態では、１枚の支持部材（３）でもって、挿通溝（９）に挿入れた多様な断面形状の支柱（２６）に当接して対応することができる。
【００４０】
さらに、支持部材（３）の下端部には、左右の吊り下げ用スリット（４、４）を備えている。この吊り下げ用スリット（４）の下には左右の両端から内側の挿通溝（９）に向けて伸びるフック（１３）を数するので、このフック（１３）に吊り下げ部材（５）を挿通して、予備ロール収納部材（６）を吊り下げるものである。この場合、吊り下げ部材（５）がフック（１３）から外れないように、フック（１３）の先端は上側に短く折り返して返し（１３ａ）を設けることも出来る。この吊り下げ用スリット（４）が、横長の開口であるので、吊り下げ部材（５）の紐やゴムを容易に通すことができる。その場合、上記した返し（１３ａ）を有さないものでは、吊り下げ部材（５）に、さらに挿通した紐がずり落ちないようにするために、それらの他端に固定するためのホックやボタンなどの手段を別途に設けておく必要がある。また、吊り下げ用スリット（４）は、外向きに開口したフック（１３）の形状としてもよい。これであれば、予備ロール収納部材（６）の上方に予め輪に形成した紐やゴムを形成しておき、これを吊り下げ部材（５）として、フック（１３）に通してひっかけるものとする。
【００４１】
吊り下げ用スリット（４、４）の形状としては、最も好適なのは、内向きに開口したフック（１３、１３）を備えたものである。予め輪に形成された吊り下げ部材（５、５）の紐は、左右２箇所に引っ掛ける必要があるとはいえ、余計な張力が必要となることもないので、右左のフック（１３、１３）に順次片手でも引っ掛けていくことができる。同様に取り外しも容易である。
一方、外向きに開口したフック（１３）であれば、外れにくいかもしれないが、取り付けるとき、外向きに開口したフック（１３）まで紐を引っ張る必要があり、両手が塞がってしまうなど、簡易に着脱ができない点で若干使用感に劣るものといえる。
【００４２】
予備ロール収納部材（６）は、予備ロールのトイレットペーパーを入れずに、支持部材（３）をトイレットペーパーホルダー（２７）に係止した後で、予備ロールのトイレットペーパーを着脱するものとする。この予備ロール収納部材（６）は織物もしくは編物からなるファブリック素材であり、種々に装飾的な美観を提供できるばかりでなく、簡易に着脱しうるので、衛生面を確保するのに適した構造となっている。
【符号の説明】
【００４３】
１    トイレットペーパーホルダーカバー
２    上蓋カバー
３    支持部材
４    吊り下げ用スリット
５    吊り下げ部材
６    予備ロール収納部材
７    端辺
８    上端部
９    挿通溝
１０  載置突部
１１  開口突出部
１２  開口張出部
１３  フック
１４  隙間
１５  離間距離
１６  横幅
２０  トイレットペーパー
２１  トイレットペーパーロール
２２  ロール軸支材
２２ａ  横向きＵ字状アーム
２２ｂ  軸支部
２３  側面板
２４  背版
２４ａ  左右端部
２５  上蓋
２５ａ  先端の切断刃
２６  支柱
２６ａ  軸孔
２７  トイレットペーパーホルダー
２７ａ  両持ち式トイレットペーパーホルダー
２７ｂ  片持ち式トイレットペーパーホルダー
２８  トイレ壁面
【図１】
0003171348.tif 000003
【図２】
0003171348.tif 000004
【図３】
0003171348.tif 000005
【図４】
0003171348.tif 000006